(57)【要約】【課題】  光源とともに反射体を一括して簡単に交換することができるフィルム観察装置を提供する。【解決手段】  装置本体３と、この装置本体３に配設された複数の線状光源２と、この光源２の光を反射するための反射体９とを備えたフィルム観察装置１。前記複数の線状光源２が前記反射体９により保持されており、当該複数の線状光源２及び反射体９が、前記装置本体３に対して一体的に着脱可能である。    【選択図】      図４
2006162938.tif 000002
【特許請求の範囲】
【請求項１】
装置本体と、この装置本体に配設された複数の線状光源と、この光源の光を反射するための反射体とを備えたフィルム観察装置であって、
前記複数の線状光源が前記反射体により保持されており、当該複数の線状光源及び反射体が、前記装置本体に対して一体的に着脱可能であることを特徴とするフィルム観察装置。  
【請求項２】
前記反射体が、略矩形状の底板部と、この底板部の４辺に沿ってそれぞれ配設される側板部とで構成されている請求項１に記載のフィルム観察装置。  
【請求項３】
前記底板部が前記装置本体から所定距離だけ離間するように、前記反射体が、当該装置本体に配設されている請求項２に記載のフィルム観察装置。
【請求項４】
前記反射体が、略矩形状の底板部と、この底板部の４辺のうち、上辺を除く３辺に沿ってそれぞれ配設される側板部とで構成されている請求項１に記載のフィルム観察装置。
【請求項５】
前記フィルム観察装置が、前記複数の線状光源を点灯させるための点灯装置を備えており、この点灯装置が、前記複数の線状光源及び反射体よりも下方に配設されている請求項１〜４のいずれかに記載のフィルム観察装置。
【請求項６】
前記反射体の底板部に孔が形成されており、且つこの底板部上に反射シートが配設されている請求項１〜５のいずれかに記載のフィルム観察装置。
【発明の詳細な説明】
【技術分野】
【０００１】
本発明はフィルム観察装置に関する。さらに詳しくは、Ｘ線写真フィルムを観察するためのシャウカステン等のフィルム観察装置に関する。
【背景技術】
【０００２】
シャウカステン等のフィルム観察装置は、観察対象であるＸ線写真フィルム等の被観察フィルムの背後から光を照射して、当該フィルム上の像を観察するためのものであり、光源として、蛍光灯や冷陰極管ランプ等の線状光源を利用している。また、光の利用効率を高めるために、反射フィルムを貼り付けたプレートや、反射シート等からなる反射体ないしは反射材を、前記線状光源を取り囲むように当該線状光源の後方（線状光源を中心として観察面側を前方とし、その反対側を後方とする）や側方に配設している。
【０００３】
ところで、前記線状光源は、長期間使用する間に明るさが低下したり、点灯しなくなることがあるが、従来は、このような線状光源を１本ずつ交換していたため、作業に手間がかかるとともに、明るさが異なる線状光源が混在することに起因して発光ムラが生じていた。
かかる不具合を解消するために、本出願人は、さきに複数の線状光源を連結具で連結してユニット化し、このユニットをフィルム観察装置に対して一体的に着脱可能にすることを提案している（特許文献１参照）。
【０００４】
【特許文献１】特開２００４−３９３９２号公報
【発明の開示】
【発明が解決しようとする課題】
【０００５】
特許文献１記載のフィルム観察装置によれば、複数の線状光源を一括して交換することができ、交換作業が簡略化されるとともに、明るさが異なる線状光源が混在することに起因する発光ムラを防ぐことができるが、前記フィルム観察装置１０１では、図８に示されるように、反射体である反射板が、当該フィルム観察装置１０１のケーシング１０５に固定される部分（底部反射板１１６。複数の線状光源１３０を連結する連結具１３１とケーシング１０５の底部１０５ａとで挟まれている）と、発光面となる拡散板１１１を保持するフレーム１１２にネジ１５３で固定される部分（側部反射体１５１）とに分割されているため、その交換作業に手間がかかるという問題を残している。
【０００６】
ＭＲＩフィルムやマンモグラフィ（乳ガン検診）等の検診では、正確なフィルム観察を行うためには高い輝度が必要となるが、高輝度を得るために線状光源の数を増やしたり、高出力の光源を使用すると、装置内の温度が高くなるとともに、光源から出る微量の紫外線の量が増加する。その結果、反射体の反射面の劣化が進み、反射率の低下や黄変、ひいては発光性能の低下という問題が発生するため、反射体を適時に交換することは、フィルム観察装置の性能を維持するために重要である。
【０００７】
本発明は、このような事情に鑑みてなされたものであり、光源とともに反射体を一括して簡単に交換することができるフィルム観察装置を提供することを目的としている。
【課題を解決するための手段】
【０００８】
本発明のフィルム観察装置は、装置本体と、この装置本体に配設された複数の線状光源と、この光源の光を反射するための反射体とを備えたフィルム観察装置であって、
前記複数の線状光源が前記反射体により保持されており、当該複数の線状光源及び反射体が、前記装置本体に対して一体的に着脱可能であることを特徴としている。
【０００９】
本発明のフィルム観察装置では、複数の線状光源が、この光源の光を反射するための反射体により支持されており、両者が一体的な構造になっているので、光源の交換作業と並行して反射体を一括して交換することができ、交換作業が非常に簡単になる。その結果、交換作業が煩雑であったため、品質が劣化しているにもかかわらず交換されずに使用されていた反射体に起因する、前記発光性能の低下という不具合を防止することができる。
【００１０】
前記反射体は、略矩形状の底板部と、この底板部の４辺に沿ってそれぞれ配設される側板部とで構成されているのが好ましい。反射体を、底板部と側板部とからなる箱形状にすることで、線状光源から出る光を無駄なく発光面（観察面）に供給することができる。
【００１１】
前記底板部が前記装置本体から所定距離だけ離間するように、前記反射体が、当該装置本体に配設されているのが好ましい。反射体の底板部を、装置本体に接触した状態で配設せずに、ナット等のスペーサ手段を用いて所定距離だけ当該装置本体から離間させることで、装置本体に負荷が作用し当該装置本体が変形したとしても、反射体の変形を抑制ないし緩和することができ、これにより長期に亘り良好な発光品位を維持することができる。
【００１２】
前記反射体を、略矩形状の底板部と、この底板部の４辺のうち、上辺を除く３辺に沿ってそれぞれ配設される側板部とで構成することができる。この場合、側板部が１つ省略されているので、その分だけ光の利用効率は若干低下するが、この開放した部分から光源で発生した熱を逃がすことができる。これにより、光源の電極部分の温度上昇を抑えることができ、当該光源の輝度の低下を抑制することができる。
【００１３】
前記フィルム観察装置が、前記複数の線状光源を点灯させるための点灯装置を備えており、この点灯装置が、前記複数の線状光源及び反射体よりも下方に配設されているのが好ましい。インバータ機能を有する点灯装置を線状光源よりも下方に配設することで、当該線状光源により暖められた空気が前記点灯装置を加熱するのを抑制することができる。これにより、長期に亘り前記点灯装置を正常に作動させることができる。
【００１４】
前記反射体の底板部に孔が形成されており、且つこの底板部上に反射シートが配設されているのが好ましい。孔を形成することで、所定の剛性を保ちつつ反射体の重量を小さくすることができ、これによりフィルム観察装置全体の軽量化を図ることができる。
【発明の効果】
【００１５】
本発明のフィルム観察装置によれば、光源とともに反射体を一括して簡単に交換することができる。
【発明を実施するための最良の形態】
【００１６】
以下、添付図面を参照しつつ、本発明のフィルム観察装置の実施の形態を詳細に説明する。なお、本明細書において「上又は上方」及び「下又は下方」とは、本発明のフィルム観察装置の使用状態（通常、フィルムを配置して当該フィルムを観察する面が、略垂直となるように使用される）におけるそれぞれ「上又は上方」及び「下又は下方」を意味する。
【００１７】
図１は、本発明の一実施の形態に係る、フィルム観察装置の一例としてのシャウカステン装置１（以下、単に「シャウカステン」ともいう）を示しており、このシャウカステン１は、複数の線状光源２等が内部に設けられた、装置本体であるケーシング３を備えている。このケーシング３は、矩形状の背面部３ａと、背面部３ａの各辺から正面側へ立設された側面部３ｂとを有しており、正面側が矩形状に開口している（図２参照）。ケーシング３の側面部３ｂの正面側には、前記正面側開口を塞ぐように、正面パネル構造体５が取り付けられている。正面パネル構造体５が設けられているシャウカステン正面部は、その一部領域Ａ１がＸ線写真フィルム等の被観察フィルムを観察するための観察領域（フィルム観察面）となっている。観察領域Ａ１は光源２からの光によって発光し、この観察領域Ａ１に被観察フィルムを置くことで、被観察フィルムをクリアに観察することができる。
なお、ケーシング３には、図３に示されるように、シャウカステン正面側が、医師等のフィルム観察者と対向するように、シャウカステン１を卓上等で縦置き状に自立させるための支持脚部６が設けられている。この支持脚部６は、縦置きしたシャウカステン１の下部左右両側に取り付けられるとともに、各支持脚部６が正面側と背面側に延びる延設部６ａ、６ｂを備えており、シャウカステン１を卓上で安定的に立てることができるようになっている。
【００１８】
図２に示されるように、ケーシング３内部には、複数の線状光源２を備えた光源装置（ランプキット）８が設けられている。光源装置８は、冷陰極管ランプからなる複数の線状光源２を、それらの長手方向両端で保持するとともに、光源２の背後及び側方に位置して光源２からの光を正面側へ反射する反射体９を有しており、この光源装置８全体をケーシング３（の背面部３ａ）に対して着脱できるように、光源装置８はケーシング３に対してネジ等で取り付けられている。冷陰極管ランプとしては、紫外線が出にくくなるように、例えば表面に紫外線防止膜を形成したものを用いるのが好ましい。
【００１９】
本実施の形態では、前記反射体９は、略矩形状の底板部４０と、この底板部４０の４辺に沿ってそれぞれ配設される側板部とで構成されており、観察面側が開放された箱形状の反射体となっている。これにより、線状光源２から出る光を無駄なく発光面（観察面）に供給することができる。前記側板部は、光源２の長手方向両端に位置する第１側板部４１と、光源２と平行な第２側板部４２とからなっている。前記第１側板部４１は、光源２の保持部も兼ねており、図４に示されるように、内面が反射面とされた反射部４１ａと、光源２の長手方向両端に設けられた断熱材４３を、底板部４０との間で挟持して保持する保持部４１ｂとで構成されており、この保持部４１ｂの両端に形成された孔４１ｃを利用して底板部４０にネジ４４で固定されている。なお、前記断熱材４３は、シリコーンゴム製であり、光源２の長手方向両端の電極部（図示せず）を略覆うように当該光源２に嵌合されており、電極が発熱して温度が高くなっても他の部材に熱が伝わらないように保護している。断熱材４３を構成するシリコーンゴムは、難燃性であるとともに電気絶縁性も有するため、絶縁体としても機能する。
【００２０】
前記反射部４１ａは、細長形状を呈しており、底板部４０に当接する辺には、光源２の位置決めをするための円弧状の切欠４５が光源２の数だけ形成されている。また、前記第２側板部４２は、底板部４０と一体構造であり、鋼板等を折り曲げ加工することで作製することができる。第２側板部４２は、前記第１側板部４１と同じく内面が反射面とされており、本実施の形態では、観察面側への反射光量を増加させるために、外方にやや傾斜している（図４におけるαが鈍角となっている）。
【００２１】
このように、光源２と反射体９とを光源装置８として一体的な構造にすることで、光源２の交換作業と並行して反射体９を一括して交換することができ、交換作業が非常に簡単になる。その結果、交換作業が煩雑であったため、品質が劣化しているにもかかわらず交換されずに使用されていた反射体９に起因する、フィルム観察装置の発光性能の低下という不具合を防止することができる。また、冷陰極管ランプは、両端付近の発光色が互いに異なっており、さらに両端付近と中央とでも発光色が異なっている。そのため、色の偏りを防ぐために、バランスよくランプを配置しなければならず、個別にランプを交換する場合は、このランプの配列に注意を払う必要があるが、本発明では、一括してランプを交換するので、ランプ配列を気にせずに交換作業を行うことができる。
【００２２】
前記反射体９としては、例えばステンレス等の金属板の表面に耐ＵＶ性に優れたＥ６０Ｖ（商品名。東レ（株）製の高反射ＰＥＴ製反射シート）を貼り付けたり、又は前記金属板に反射塗料を塗布したものを用いることができる。また、金属板に限らず、ある程度の剛性を有する、ポリカーボネート、ポリプロピレン、フェノール樹脂、尿素樹脂等の合成樹脂からなる板材を用いることもできる。前記反射体９の底板部４０に孔を形成し、この底板部４０上に反射シートを配設するのが好ましく、こうすることで、所定の剛性を保ちつつ反射体９の重量を小さくすることができ、これによりシャウカステン全体の軽量化を図ることができる。
【００２３】
本実施の形態では、前記反射体９は、ケーシング３の背面部３ａの内面（観察面側表面）上に接着や溶接等で固定されたナット４６上に配設されている。すなわち、底板部４０がケーシング３の背面部３ａの内面から所定距離だけ（例えば、２ｍｍ程度）離間するように、前記反射体が、当該ケーシング３内に配設されている。反射体９の底板部４０を、ケーシング３に接触した状態で配設せずに、ナット４６を用いて所定距離だけ当該ケーシング３から離間させることで、ケーシング３に負荷が作用し当該ケーシング３が変形したとしても、反射体９の変形を抑制ないし緩和することができ、これにより長期に亘り良好な発光品位を維持することができる。前記ナット４６は、反射体９をネジ４４で固定するのに用いるために、矩形状の底板部４０の４隅に対応して４個設けられたものであり、本実施の形態では、かかるナット４６をスペーサ手段として利用している。また、前記固定用のナット４６以外に、底板部４０の撓みを防ぎつつ当該底板部４０を支持するために、単なるスペーサ手段として、底板部４０の中央等適宜の部位に対応してナット（図示せず）を設けることができる。また、本発明において、前記スペーサ手段は特に限定されるものではなく、ナット４６以外に、例えばネジ孔を有する、短円柱、短四角柱等のブロック体を用いることもできる。さらに、反射体９のケーシング３への固定はボルトやネジを利用する以外に、かしめや係止（例えば、反射体９から脚部を延設し、この脚部をケーシング３に形成したスリットに挿入し、ついで前記脚部を折り曲げることで当該反射体９をケーシング３に固定する）等でも行うことができ、この場合は、単なるブロック体（ネジ孔は形成されていない）をスペーサ手段として用いることができる。
【００２４】
また、反射体９の底板部４０と、ケーシング３の背面部３ａとを離間させているので、前記底板部４０に対向する背面部３ａに孔又はスリット等の開口部を形成することにより、光源２で発生した熱を当該開口部から外部に逃がすことができる。これにより、光源２の電極部分の温度上昇を抑えることができ、当該光源２の輝度の低下を抑制することができる。
【００２５】
なお、本実施の形態では、側板部を底板部４０の４辺すべてに沿って配設しているが、底板部４０の４辺のうち、上辺を除く３辺に沿って配設する、換言すれば、上辺に沿って配設していた側板部を省略するようにしてもよい。この場合、側板部が１つ省略されているので、その分だけ光の利用効率は若干低下するが、この開放した部分から光源２で発生した熱を逃がすことができる。これにより、光源２の電極部分の温度上昇を抑えることができ、当該光源２の輝度の低下を抑制することができる。
【００２６】
光源装置８は、図２に示されるように、ケーシング３の内部全体に位置しているのではなく、縦置き状態のケーシング３内部の上方側に偏って位置している。これにより、ケーシング３内部の下方範囲に、光源２の点灯装置（インバータ装置）１２や電源装置１３等の回路を配置するためのスペースが確保されている。比較的重量の大きい電源装置１３等をケーシング３下方に配置することで、縦置き状態での安定性が高まる。また、インバータ機能を有する点灯装置１２を光源２よりも下方に配設することで、当該光源２により暖められた空気が前記点灯装置１２を加熱するのを抑制することができる。これにより、長期に亘り前記点灯装置１２を正常に作動させることができる。一方、点灯装置１２や電源装置１３で発生した熱により暖められた空気はケーシング３内を上昇するが、前記光源２は箱形の反射体９で囲まれており、この反射体９が一種のパーティションとして機能するので、暖められた空気は前記反射体９の第１側板部４１の外側を上昇する。このため、前記暖められた空気が光源２を加熱するのを抑制することができる。なお、ケーシング３の下方範囲には、光源装置８の交換方法を説明した説明ラベル１４が貼り付けられている。
図３に示されるように、ケーシング３の左側の側面部３ｂ（図１において右側）には、光源２の輝度を変更してフィルム観察面Ａ１の明るさを調節するための調光ボリューム（調光操作部）１６と、電源スイッチ１７が設けられている。
【００２７】
調光ボリューム１６は、図示しない配線を介して、点灯装置１２に接続されており、点灯装置１２から光源２に供給される電力をＰＷＭ方式等によって制御することによって、光源２の光の強弱を変更でき、観察面Ａ１における輝度を調節できる。
また、縦置き状態のシャウカステン１の上部には、フィルム固定具１９が設けられている。フィルム固定具１９は、下方に開口したフィルム差込口１９ａを有しており、この差込口１９ａから被観察フィルムを差し込むと、フィルム固定具１９と正面パネル構造体５とによって、被観察フィルムを挟持することができる。
【００２８】
前記正面パネル構造体５は、図５にも示されるように、光源２からの光を拡散する拡散板２１を備えている。この拡散板２１の正面側（観察者側）には、光学フィルム２２、２３が配置されている。光学フィルム２２、２３のさらに正面側には、観察面保護パネル２４が配置され、光学フィルム２２を覆って保護している。
【００２９】
正面パネル構造体５は、ネジ３５等によって、ケーシング３の正面開口部を覆うように当該ケーシング３に取り付けられる（図１参照）。なお、ケーシング３の側面部３ｂには、正面パネル構造体５を取り付けるためのネジ孔２７が形成されている（図２参照）。
拡散板２１は、矩形状に形成されており、アクリル又はガラス製の乳半板が用いられており、光源２のランプイメージを緩和している。また、拡散板２１は、ケーシング３の正面開口部全体を覆うことができる大きさを有している。なお、拡散板２１は、ケーシング３のネジ孔２７に対応した位置にネジ孔２１ａを有している（図６（ａ）参照）。
【００３０】
光学フィルム２２、２３は、２枚用いられており、具体的には、拡散フィルム２２と、プリズムフィルム２３とが用いられている。これらの光学フィルム２２、２３は、光をシャウカステン正面方向へ集光させて輝度を上昇させるために用いられている。
拡散フィルム２２は、拡散板２１の表面に配置されており、拡散板２１を透過した光の輝度の均一化を更に図ることができ、また正面輝度の上昇も図ることができる。プリズムフィルム２３は、プリズム突条が線状光源２と平行となるように向けられて、拡散フィルム２３の正面側に重ねて配置されている。プリズムフィルム２３は、プリズム面を正面側に向けて配置されており、正面方向へ集光して正面輝度を上昇させることができる。
【００３１】
観察面保護パネル２４は、拡散板２１と同じ大きさに形成されており、被観察フィルムが置かれる表面をハードコート処理したアクリル、ポリカーボネート、ガラスなどの透明板からなっており、このパネル２４が正面パネル構造体５の（正面側の）最表面の部材となっており、光学フィルム２２、２３の他、拡散板２１も保護している。
また、パネル２４は、ケーシング３のネジ孔２７に対応した位置にネジ孔２４ａを有している（図６（ａ）参照）。
【００３２】
パネル２４には、図１及び図６においてクロスハッチで示す範囲に印刷が施され、非観察領域となる遮光面Ａ２が形成されている。また、パネル２４の印刷されていない領域は光が透過して発光することができる発光面Ａ１とされている。具体的には、遮光面Ａ２は、発光面Ａ１を除く範囲に黒色のベタ印刷を施すことにより形成される。印刷を施す面は、パネル２４の裏面が好ましいが、表面でもよく、また両面でもよい。
【００３３】
発光面Ａ１は、被観察フィルムを観察するための観察領域であり、光源装置８にほぼ対応した領域（図１に示されるように、観察領域Ａ１の方が光源装置８よりもやや小さい）に位置するように、パネル２４の上側寄りに設けられており、その左右両側に非観察領域Ａ２が位置している。すなわち、遮光面Ａ２は、発光面Ａ１の上下左右の四方に額縁状に形成されており、発光面Ａ１の下側にある遮光面は、やや広めに形成されている。なお、発光面Ａ１の上側には遮光面を設けなくてもよい。
【００３４】
このように、観察面保護パネル２４は、光学フィルム２２、２３を保護するだけでなく、観察領域Ａ１と非観察領域Ａ２とを区画し、さらに、観察領域である発光面Ａ１以外の範囲に印刷が施されていることにより、化粧板としての役割も果たしている。したがって、発光面Ａ１の周囲に額縁状に位置させるフレーム部材がなくても、正面開口を有するケーシング３に正面パネル構造体５を取り付けるだけで、発光面Ａ１の周囲に額縁状の枠範囲（非観察領域Ａ）が形成され、点灯装置１２等のケーシング３内部の部材を隠蔽することができる。
【００３５】
前記光学フィルム２２、２３は、前記パネル２４よりも小さく、観察領域Ａ１に対応した位置に、当該観察領域Ａ１とほぼ大きさ（観察領域Ａ１よりもやや大）に形成されている。また、光学フィルム２２、２３の位置と大きさは、光源装置８の位置と大きさにも対応している。
すなわち、パネル２４は、ケーシング３の正面開口全体を塞ぐことができるように大きく形成されているが、比較的高価な光学フィルム２２、２３は、観察領域Ａ１に対応して小さく形成されており、光源装置８から照射され観察領域Ａ１を発光させるための光に光学的作用を与えるための最低限必要な大きさに抑えられている。
なお、光学フィルム２２、２３は、コストをさほど考慮しない場合、観察領域Ａ１よりも十分に大きくしてもよい。
【００３６】
拡散板２１と観察面保護パネル２４は、同じ大きさに形成されており、これら２１、２４よりも小さい光学フィルム２２、２３は、拡散板２１と観察面保護パネル２４によって挟まれる（図５〜６参照）。
ここで、光学フィルム２２、２３は、スペーサシート（以下、単に「スペーサ」ともいう）３０とともに、拡散板２１と観察面保護パネル２４によって挟まれる。
【００３７】
図６（ａ）に示されるように、スペーサ３０は、拡散板２１又はパネル２４の平面形状から、光学フィルム２２、２３の位置する範囲Ｂを除去した形状とされている。具体的に図６（ａ）では、スペーサ３０は、光学フィルム２２、２３の下側に位置する下部範囲３０ａと、光学フィルム２２、２３の側方（図６（ａ）の正面視では左側）に位置する側部範囲３０ｂと、光学フィルム２２，２３の上側に位置する上部範囲３０ｃとを有して、横向きＵ字状に形成されており、各範囲３０ａ、３０ｂ、３０ｃに囲まれた領域が光学フィルム用領域Ｂとなっている。
【００３８】
光学フィルム２２、２３は、スペーサシート３０の前記領域Ｂに位置するようにスペーサシート３０とともに、前記拡散板２１とパネル２４の間に挟まれる。このスペーサシート３０は、二枚の光学フィルム２２、２３の厚さにほぼ対応した厚さを有しており、光学フィルム２２、２３が存在しない範囲でも、拡散板２１とパネル２４との間に隙間が生じないようにしている。また、スペーサシート３０によって、拡散板２１とパネル２４の間で、光学フィルム２２、２３の位置決めを行うことができる。
【００３９】
さらに、拡散板２１とパネル２４をケーシング３にネジ止めする際に、ネジ止めの付近で拡散板２１とパネル２４の間に隙間があると、がたつき等が生じるおそれがあるが、拡散板２１とパネル２４の間にスペーサ３０を介在させることで、安定的に固定できる。
そして、拡散板２１とパネル２４との間の隙間がスペーサシート３０で塞がれているから、正面パネル構造体５内部に粉塵等が侵入するのが防止されている。
【００４０】
光学フィルム２２、２３とスペーサシート３０には、ケーシング３のネジ孔２７に対応した位置にネジ孔２２ａ、３０ｄが形成されている。図６（ａ）に示されるように、光学フィルム２２、２３は、その一辺だけにしか、ネジ孔２２ａが設けられておらず、この一辺だけが拡散板２１及びパネル２４に対して固定され、光学フィルム２２、２３の他の３辺は、非固定の自由辺となっている。このように、光学フィルム２２、２３を一辺だけで固定すると、熱等による光学フィルム２２、２３の膨張・収縮などが生じても、光学フィルム２２、２３の撓みが生じにくく、観察面の品位を良好に保つことができる。
なお、光学フィルム２２、２３の一辺だけを固定辺とし、他の辺を自由辺とするには、例えば、光学シート２２、２３の一辺だけを、拡散板２１又はパネル２４に対して、両面テープ等で固定することによってもよい。
【００４１】
拡散板２１、光学フィルム２２、２３、スペーサシート３０、パネル２４は、各ネジ孔２１ａ、２２ａ、３０ｄ、２４ａの位置を一致させて重ね合わせることで、正面パネル構造体５を構成し（図６（ｂ）参照）、この正面パネル構造体５をネジ３５でケーシング３に止めることで、拡散板２１とパネル２４が光学フィルム２２、２３及びスペーサ３０を挟んだ状態を維持しつつ、ケーシング３への固定が行える（図６（ｃ）参照）。
なお、スペーサ３０は、シート状に形成されていなくてもよく、光学フィルム２２、２３以外の範囲で、拡散板１とパネル２４の間隔を保持できるものであれば足りる。また、スペーサ３０は、単一の部材によって形成されている必要はなく、複数の部材の組み合わせであってもよい。
【００４２】
図７は、本実施の形態に係るシャウカステン１における出射光の向きを示している。なお、図７は、シャウカステン１を上方から見た図であり、図７の上下方向は、シャウカステン１の左右方向に相当する。
このシャウカステン１では、光学フィルム２２、２３によって正面方向Ｌ１へ集光され、正面方向の輝度が上昇する。したがって、このシャウカステン１は、ＭＲＩフィルム又はマンモグラフィ検診におけるフィルムのように高い輝度が要求されるフィルムの観察用として好適である。
【００４３】
マンモグラフィ検診等に使えるように、観察面Ａ１の正面方向の輝度は、１００００ｃｄ／ｍ２以上となるように設定されており、より好ましくは、１５０００ｃｄ／ｍ２となるように設定されている。また、観察面Ａ１の輝度は、調節可能であり、ここでは、調光ボリューム１２の操作によって、３０００ｃｄ／ｍ２〜１６０００ｃｄ／ｍ２の範囲で任意の輝度に調節することができる。また、調光可能範囲の下限としては、２５００ｃｄ／ｍ２とするのがより好ましく、調光可能範囲の上限としては、３００００ｃｄ／ｍ２とするのがより好ましい。
【００４４】
調光により、輝度を１００００ｃｄ／ｍ２以上とした場合には、マンモグラフィ、ＭＲＩ、カラー画像のフィルムなどフィルム濃度の高い被観察フィルムの観察を正確に行うことができる。また、輝度を３０００ｃｄ／ｍ２程度まで落とした場合には、フィルム濃度がさほど高くない通常のＸ線写真フィルムを観察するのに適した輝度となる。
また、輝度を上昇できる光学フィルム２２、２３を使用しているため、光源２の数を増やしたり、出力の高い光源２を使用したりしなくても、シャウカステン１の輝度を上げることができ、コスト上昇、消費電力増大、装置の大型化を回避することができる。
具体的には、光源２の本数を増やす必要がないため、コスト上昇を避けられるとともに消費電力の増大が避けられる。また、出力の高い光源２を使用しなくてもよいことからも消費電力の増大が避けられる。しかも、消費電力が増大しないため、温度上昇を抑えることができる。
【００４５】
ここで、光源からの発熱が大きくなると、観察面Ａ１の温度が上昇してしまうが、フィルム観察装置では、観察面Ａ１の近くで被観察フィルムの抜き差しを行うため、観察面Ａ１の温度上昇は、被観察フィルムの抜き差しを困難にする。これを回避しようとすると、光源と観察面Ａ１を離して、熱の影響を小さくすることになるが、光源と観察面Ａ１を離すと、装置の大型化を招く。
これに対し、本実施の形態のシャウカステン１によれば、光源からの発熱を抑えられることから、装置を薄型化しても、観察面Ａ１の温度上昇を抑えることができる。
【００４６】
前記シャウカステン１では、正面方向の輝度が高いかわりに、正面方向以外の方向の輝度が抑えられ、観察者（明るい光が必要な人）Ｅ１以外の人のまぶしさが軽減される。すなわち、図７のＬ２、Ｌ３方向にいる非観察者Ｅ２、Ｅ３の感じる眩しさが少なくなる。また、観察者Ｅ１も、観察面Ａ１に被観察フィルムがないとき等、観察面Ａ１からのまぶしさを感じるときには、観察面Ａ１の垂直方向から一定の角度以上の位置（Ｅ２、Ｅ３）に立つだけで、眩しさが軽減されるため、高輝度化したことによる目の疲れを低減させることができる。
【００４７】
このことは、本実施の形態のように、観察面Ａ１の輝度を１００００ｃｄ／ｍ２以上（好ましくは、１５０００ｃｄ／ｍ２以上）として、被観察フィルムがなければ、人の目にとって非常に眩しくなる程の輝度を確保している場合に、特に有益である。
しかも、本実施の形態では、観察者が正面方向以外の方向（斜め方向）に移動すると、調光可能な輝度範囲の下限（３０００ｃｄ／ｍ２）よりも更に輝度が小さくなるように正面方向に集光しているため、調光ボリューム１２を操作しなくとも、調光ボリューム１２を操作した以上の眩しさ低減効果が得られる。
【００４８】
なお、本実施の形態では、反射体９のうち第１側板部４１だけを底板部４０とは別部材にしているが、底板部４０及びすべての側板部を単一の板材から一体物として作製することもできる。
【図面の簡単な説明】
【００４９】
【図１】本発明の一実施の形態に係るシャウカステンの一部破断正面図である。
【図２】図１に示されるシャウカステンのケーシング内部を示す正面図である。
【図３】図１に示されるシャウカステンの側面図である。
【図４】図１に示されるシャウカステンにおける反射体の斜視説明図である。
【図５】正面パネル構造体の断面図である。
【図６】正面パネル構造体の組立図である。
【図７】シャウカステンの出射光の方向を示す平面図である。
【図８】従来のフィルム観察装置の部分断面説明図である。
【符号の説明】
【００５０】
１シャウカステン（フィルム観察装置）
２線状光源
３ケーシング（装置本体）
９反射体
１２点灯装置
４０底板部
４１第１側板部
４２第２側板部
【図１】
2006162938.tif 000003
【図２】
2006162938.tif 000004
【図３】
2006162938.tif 000005
【図４】
2006162938.tif 000006
【図５】
2006162938.tif 000007
【図６】
2006162938.tif 000008
【図７】
2006162938.tif 000009
【図８】
2006162938.tif 000010